(57)【特許請求の範囲】
【請求項１】
商品を値引きして販売する方法において、ＰＯＳレジに登録されている商品の価格を値引いて新売価に訂正し、ＰＯＳレジのレシートプリンタにてレシートシートに該商品名と通常価格、値引きした新売価を所定大きさの文字字体で印刷し、このレシートシートを顧客の目に留まるように、専用カードケースに挟み込んで商品棚又は商品台に載置し、上記ＰＯＳレジの売上げ画面には値引き画面を表示し、そして、値引きしたい商品の値札をバーコードスキャナーで読み込むことで商品名とＰＯＳレジに登録されている商品の通常売値が表示され、また、値引開始日付の欄に値引き開始の日時を入力し、商品の値引き額又は値引き率を入力し、さらに、上記レシートシートの文字の大きさ及び印刷方向を選択し、該レシートシートにはタイムサービス、日替わりサービス、又は特別サービスの何れかを表示し、顧客が受取る買い上げシートには新価格での表示と計算結果を印刷することで、値引き前の旧価格で販売するといったミスを防止することを特徴とする商品を値引きして販売する方法。
【発明の詳細な説明】
【技術分野】
【０００１】
本発明は、生鮮食品などについて売れ残りの虞が生じる場合、緊急に値引きして販売する方法に関するものである。
【背景技術】
【０００２】
スーパーマーケットやコンビニなどでは生鮮食料品及び調理された食品を販売しているが、これらの食品はその日のうちに完売しなくてはならない場合が殆どである。しかし、完売すると思って仕入れした食品は、色々な事情によって売れ残るケースが多々ある。また、食品には賞味期限があり、この賞味期限に近づいても売れ残っている場合もある。
【０００３】
例えば、豆腐の場合、気温に大きく左右されることから、予想に反して気温が低くなれば仕入れした豆腐は売れ残ってしまう。また、調理した「てんぷら」、「煮物類」、「焼き魚」、「刺身」などは、その日のうちに完売する必要がある。そこで、売れ行きの様子をみて、売れ残りが予想される場合、その商品の値段を下げることで売り切ってしまうこ とが必要である。
【０００４】
ところで、売れ行きの様子を観察して急きょ値引きする場合、値引きに伴う作業は面倒であり、多大な工数と時間がかかり、結果として販売の機会を失ってしまい、売れ残りの商品が多く発生するといった事態を招くことは多い。従来、急きょ商品の値引きをする場合、一般的には各商品ごとに値引き後の価格を目立つように赤ペンで記載することが多い。また、値札作成機やラベラーによって必要分の値札を作成して各商品ごとに貼り付けている。
【０００５】
しかし、上記作業には多くの人手と時間が必要となり、結果として商機を失って数多くの商品が売れ残り、廃棄しなくてはならないといった問題が発生する。商品価格を急きょ値引きする場合、その価格が顧客に分かり易く表示するにＰＯＰを作成し、該商品と共に掲示することが必要であるが、店頭にＰＯＰ作成機がない為に、手書きせざるを得ないことも多い。
【０００６】
一方、商品に付されている価格を手書きで訂正して値引きする場合、その値引き後の価格がＰＯＳレジに登録されなくて、値引き前の旧価格のままと成っていて、顧客に迷惑をかけることもある。
顧客にとっては、購入した商品と共に受取った買い上げレシート上に出力されている商品について、値引き商品の値引き情報が明記されていない為に、レシートの内容と購入した商品との照合が困難である。一方、このような値引きは常日頃行われているが、その内容が顧客に周知されていないといったことも多い。
【０００７】
商品価格を値引きする場合、値引き後の新価格をＰＯＳレジの数値キーを押して再入力するか、値引き額若しくは値引き率を入力して計算しなくてはならず、その作業は煩雑化して間違いが起こり易い。そして、営業時間終了後に出力されるＰＯＳレジの精算レシート上で、当日の値引き商品について商品ごとの数量、金額、値引き額などの情報が明記されていない為に、正しい売上げ管理が困難である。
【０００８】
特開２００１−６３１５３号に係る「値札発行装置」は、ＰＯＳ（販売管理情報管理）システムにおける、販促活動の一環としての値引きラベルを携帯用あるいは可販型値札発行装置等の特別な設備投資無しに、これまでの設置場所で、商品別賞味期限別の在庫数を把握することによって、一括集中的に必要な対応枚数のラベル発行を可能とした値札発行装置である。
【０００９】
商品別賞味期限別仕入数量等を入力するストアコントローラに接続された第１の入力装置と、商品に付された商品別賞味期限別販売数量等を記載した商品情報ラベルをスキャンニングするバーコードスキャナを備えたＰＯＳレジと、前記仕入数量と前記スキャンニングされた販売数量とから商品別賞味期限別現在庫数量を演算する演算装置を備えたストアコントローラと、賞味期限が近づいた商品の値引きデータを入力する値札発行装置に接続された第２の入力装置と、前記入力された商品別賞味期限別値引きデータに対応する枚数分の値引きラベルを発行することが出来る。
【００１０】
特開２００３−２５６７０５号に係る「販売処理方法」は、店員の個別の応対が難しい場面においても顧客の購入を促進できるようなサービスの提供を可能としている。
例えば、スーパーマーケットで使用される無線通信機付きカートは、商品情報を読み取る商品特定手段と、商品特定手段から読み取られた情報を用いて、顧客が購入する可能性がある購入検討商品の購入の躊躇を示す状態を検出する検出手段と、検出手段により購入の躊躇を示す状態が検出された場合、センタ・サーバから取得した情報に基づき購入検討商品の値引きが可能か判断する判断手段と、判断手段により購入検討商品の値引きが可能であると判断された場合には、当該購入検討商品の値引き情報を表示装置に表示する手段と、顧客の指示がなされた場合、顧客により購入意思が示された購入検討商品についての値引き情報をＰＯＳレジスタに送信する手段とを有している。
【特許文献１】特開２００１−６３１５３号に係る「値札発行装置」
【特許文献２】特開２００３−２５６７０５号に係る「販売処理方法」
【発明の開示】
【発明が解決しようとする課題】
【００１１】
このように、生鮮食料品などで売れ残りがないように夕方の時間帯に急きょ値引きを行なうこと、また賞味期限が近づいた商品を値引きして販売することは常に行なわれることである。しかし、値引き販売する場合の作業は面倒であって、また顧客への周知が十分でない。そして、上記のごとく特開２００１−６３１５３号に係る「値札発行装置」や特開２００３−２５６７０５号に係る「販売処理方法」など、商品の値引きに対応した考えは知られているが、システムとして大がかりであり、その作業性に関しての改善は少なくて非常に忙しい夕方の時間帯には適さない。
【課題を解決するための手段】
【００１２】
本発明は賞味期限が近づいた食品や生鮮食料品などを対象とし、これら食料品などに売れ残る虞が生じた場合に、値引きして完売する方法である。本発明はこの値引き販売を行なうに当って大きな作業工数を要することなく、売り場の責任者が簡単に行うことが出来、そして、値引いた価格がＰＯＳレジに登録されて販売する価格に間違いを生じないように構成し、しかも値引いた価格が顧客に分かり易く表示できるように構成している。
【００１３】
そこで、ＰＯＳレジはタッチ入力機能を有すＬＣＤ画面、バーコードスキャナ、プログラムで任意の長さで自動カットできるレシートプリンタを装備している。ＰＯＳレジの売上げ画面には「ＰＯＳ値引き画面」が表示され、値引きしたい商品の値札をバーコードスキャナで読み込むと「商品名」とＰＯＳレジに登録されている商品の通常売価が表示される。そこで、「値引き日時・時間」の欄に値引き開始の日時を入力し、商品の「値引き額」又は「値引率」をキーボードによって入力するならば、新価格欄に新売価が表示される。
【００１４】
そして、ＰＯＳレジの売上げ画面には「印刷設定画面」が設けられ、希望する印刷条件を設定すれば、ＰＯＳレジのレシートプリンタから値引き商品ごとに１枚単位でカットされた値引きレシートシートが印刷される。値引きレシートシートは商品棚や商品台に載置している専用カードケースに挟み込んで商品の値引き販売をする旨を顧客に周知させる。
一方、上記ＰＯＳレジの代わりに一般のパソコンを利用することも可能であり、該パソコンに販売する商品、及びその価格などを登録しておき、必要に応じてＰＯＳレジの場合と同じく値引き操作を行なうことが出来る。そして、該パソコンにレシートプリンタを接続して値引きしたレシートシートが出力される。
【発明の効果】
【００１５】
本発明に係る商品を値引きして販売する方法は、夕方の最も忙しい時間帯であっても、売り場の担当者（責任者）がＰＯＳレジに登録している商品を選択して値引きした売価を登録すると共に、レシート用紙をプリントし、この値引きレシートシートを専用カードに挟んで顧客に周知させることが出来る。すなわち、売れ残りそうな商品の販売を促進する為の「臨時値引きＰＯＰ」として、商品と共に商品棚又は商品台に提示することが出来、その作業は売り場担当者サイドで簡単に行うことができる。
【００１６】
レジの担当者は商品のバーコード値札を読み取ることで、値引きされた売価で計算され、顧客が受取る「買い上げレシート」には新価格での表示と計算結果が印刷される。すなわち、本発明では値引き前の旧価格で販売するといったミスが防止出来る点も大きな効果である。
【図面の簡単な説明】
【００１７】
【図１】ＰＯＳレジを示す具体例。
【図２】ＰＯＳレジのＬＣＤ画面。
【図３】ＰＯＳレジの値引き設定画面。
【図４】ＰＯＳレジの値引き設定画面に値引き額を入力した場合。
【図５】レシートシートを出力する場合のＰＯＳレジの印刷設定画面。
【図６】（ａ）は横書きしたレシートシート、（ｂ）は縦書きしたレシートシート。
【図７】本発明の値引き作業を表すフローチャート。
【図８】レシートシート挟み込む為の専用カードシート。
【図９】買い上げレシートを示す具体例。
【図１０】売上日報の具体例。
【発明を実施するための形態】
【００１８】
図１はＰＯＳレジの外観を示す実施例であり、１はＬＣＤ画面、２はレシートプリンタ、３はバーコードスキャナ、４はキーボードをそれぞれ表し、基本的な形態は従来のＰＯＳレジを共通している。バーコードスキャナ３にて商品のバーコードを読み取るならば、ＬＣＤ画面１には個々の商品名と価格が表示され、そして最後に合計金額が表示されてレシートプリンタ２にて顧客に渡されるレシートが印刷される。
【００１９】
ところで、夕方の時間帯になるとその日の天気やその他の事情によって、売れ残る虞のある商品が発生する。特に、生鮮食料品や調理品はその日のうちに販売しなくてはならない商品であって、売れ残ってしまえば廃棄処分しなくてはならなくなる。その為に、売り場の担当者は商品の売れ行きを把握して、売れ残りそうな商品は、急きょ値引きして販売する必要がある。また、賞味期限が近づいた商品の場合も同じである。
【００２０】
図２はＬＣＤ画面１を示している具体例であり、該ＬＣＤ画面１には購入される商品面とその単価、数量、及び金額が表示されるが、これは商品のバーコードをバーコードスキャナ３にて読み取ることで表示される。該画面に表示している商品は「サラダミズナ」１４７円、「伝助かぶ菜」２５０円で、合計金額３９７円と成っている。さらに、購入する商品があれば、同じように表示されて合計金額が自動的に表される。
【００２１】
また、ＬＣＤ画面１には個々の商品と価格を表示した部門キーボタン５が設けられ、バーコードスキャナ３にて読み取ることなく、該部門キーボタン５に表記している部門に属する商品に関しては、該部門キーボタン５にタッチすることで画面上に部門名又は商品名と金額が表示される。レジを担当している店員は自分の好みに応じて自由に使い分けることが出来る。
【００２２】
ところで、上記画面の〔ＰＯＳ値引〕ボタンにタッチするならば、図３に示す〔ＰＯＳ値引設定〕を行なうことが出来る画面となる。そこで、値引きしたい商品の値札をバーコードスキャナ３を用いて読み込むならば、図４に示すようにＰＯＳレジに登録されている商品コード、商品名称、通常売価が表示される。そこで、「値引開始日付」の欄に値引を開始する日時を入力し、該商品の「値引額」又は「割引率（％）」をＰＯＳレジのキーボード４より入力して新売価欄に新売価を表示する。
【００２３】
図４に示すＰＯＳ値引き画面には、「ワカサギ醤油煮」５００円を値引額５０として、新売価を４５０に設定している。また「いさぎ昆布」６００円を値引額８０円として、新売価を５２０円としている。そして、「田舎金時」３００円を値引額５０円として、新売価２５０円に設定している。このように、商品の賞味期限をみて売れ残りそうな商品を随時値引し、ＰＯＳレジに登録されている商品価格を値引きした新価格に改定することが出来る。
【００２４】
そして、値引きした商品を顧客に周知させることが必要であることから、この値引きした商品及び該商品の値引き後の新価格を印刷する。図４の「印刷設定」項目をタッチすると印刷設定画面が表示される。図５はこの印刷設定画面を示す具体例である。この印刷設定画面には値引き名称として、「タイムサービス」、「日替わりサービス」、及び「特別サービス」の３項目が設けられ、生鮮食品などで売れ残りの虞がある時に急きょ行う値引きは特別サービスに該当する。
【００２５】
そして、文字サイズ区分では印刷レシートシートの表示文字のサイズを設定することが出来、１倍、横倍、縦倍、縦横倍、横３倍、縦３倍の６種類としている。勿論、さらなる倍率を設けることは自由であり、これら項目記載の１つを選んでタッチすることで所定の文字サイズを指定することが出来る。
【００２６】
また、印刷文字字体を指定する「フォント」を設けている。図５の画面に示すように印刷文字の字体は、「ゴシック体」、「明朝体」、「ＰＯＰ調」から１つを選んでタッチすれば、所定の印刷字体が定まる。
さらに、印刷方向を指定する「印刷方向区分」の「縦方向」、「横方向」の１つを選んでタッチすれば印刷方向が定まる。そして、「印刷設定情報」の設定作業を完了した段階で、「プレビュー」項目をタッチすると、設定した条件に基づいて印刷を行った場合のプリントイメージがＰＯＳレジの画面に表示されるので、この画面に基づいてプリントの体裁を整えることが出来る。
【００２７】
プリントの体裁が定まったところで「確定」項目にタッチし、そして「印刷」項目をタッチすれば、ＰＯＳレジのレシートプリンタ２から値引き商品ごとに１枚単位でカットされたレシートシートが印刷される。
図６（ａ）は「タイムサービス」として５月１０日１６時から行なう「手作りがんも」の値引きしたレシートシート６であり、横書きしたシートとして印刷されている。通常価格２００円が５０円値引きして新価格を１５０円としている。
また、図６（ｂ）は「タイムサービス」として５月１０日１６時から行なう「ちらし寿司」の値引きレシートシート６であり、縦書きしたシートとして印刷されている。通常価格１５０円が３０％値引きして新価格を１０５円としている。
【００２８】
図７はＰＯＳレジを用いて商品価格を値引き販売する際の一連の処理をフローチャートで表している。売り場担当者は出力されたレシートシート６を専用カードケースに挟み込み、該商品の販売を促進することが出来る。すなわち「臨時値引きＰＯＰ」として値引きを行う該商品と共に商品棚又は商品台上に配置して顧客に提示する。専用カードケース又はその他の用具を用いて「臨時値引きＰＯＰ」を提示する方法は売り場の状況により多様な方法を利用することが出来る。
【００２９】
図８は専用カードケース７を示す具体例であり、７ａは図６（ｂ）に示す縦書きしたレシートシート６を挟み込んで提示することが出来る専用カードケースを示し、７ｂは図６（ａ）に示す横書きしたレシートシート６を挟み込んで提示することが出来る専用カードケースを表している。これら専用カードケース７ａ，７ｂは透明なプラスチック製で、台座８に対して後方へ僅かに傾斜して起立した表示板９を有している。図８（ｃ）は表示板９にレシートシート６を挟み込んだ状態の図８（ａ）の縦断面を示している。
【００３０】
レジ担当者は該商品のバーコード値札を読み取って売上処理を行うが、価格は値引き後の新価格で計算が行われる。また、図９に示すように顧客が受け取る「買い上げレシート１０」には新価格での表示と計算結果が印刷される。すなわち、オレンジカリフラワー１３０円は値引き３０円、ちらし寿司４５０円は値引き１００円であり、合計４５０円と表示される。
【００３１】
図１０は売上日報の一部を示している。営業が終了してレジを清算する場合、１日の売上清算は値引きした商品別の売上数、値引き額、純売上金額、及び値引率を集計して別途表示する。
【符号の説明】
【００３２】
１   ＬＣＤ画面
２   レシートプリンタ
３   バーコードプリンタ
４   キーボード
５   部門キーボタン
６   レシートシート
７   専用カードケース
８   台座
９   表示板
10   買い上げレシート
【図１】
0005813583.tif 000002
【図２】
0005813583.tif 000003
【図３】
0005813583.tif 000004
【図４】
0005813583.tif 000005
【図５】
0005813583.tif 000006
【図６】
0005813583.tif 000007
【図７】
0005813583.tif 000008
【図８】
0005813583.tif 000009
【図９】
0005813583.tif 000010
【図１０】
0005813583.tif 000011